(57)【要約】【課題】一人でホットヨガを行うのに適した空間を低コストで画成することができるホットヨガ構造体を提供する。【解決手段】ホットヨガを行うための空間であるホットヨガ空間を画成するホットヨガ構造体１であって、上下方向に開口した角筒状に形成され、ホットヨガ空間の側方を包囲する側壁部１０と、側壁部１０の底面として略板状に形成された床部１１と、床部１１をホットヨガ構造体１の設置面から上下方向に所定距離だけ離間して支持する支持部１１１ａ〜１１１ｄと、底面が開口した中空の略三角錐状に形成され、底面が側壁部１０における上方の開口と連通する屋根部１２とを備える。【選択図】図１
2019112773.tif 000002
【特許請求の範囲】
【請求項１】
ホットヨガを行うための空間であるホットヨガ空間を画成するホットヨガ構造体であって、
上下方向に開口した角筒状に形成され、前記ホットヨガ空間の側方を包囲する側壁部と、
前記側壁部の底面として略板状に形成された床部と、
前記床部を前記ホットヨガ構造体の設置面から上下方向に所定距離だけ離間して支持する支持部と、
底面が開口した中空の略三角錐状に形成され、底面が前記側壁部における上方の開口と連通する屋根部と
を備えるホットヨガ構造体。
【請求項２】
前記屋根部は、４つの平部と、膜状部材とを有し、該４つの平部のそれぞれには複数の孔部が形成され、前記膜状部材は前記４つの平部を上方から覆うように形成されていることを特徴とする請求項１に記載のホットヨガ構造体。
【請求項３】
前記膜状部材は布であることを特徴とする請求項２に記載のホットヨガ構造体。
【請求項４】
前記支持部は上下方向に長さを調節可能に構成されていることを特徴とする請求項１〜請求項３のいずれか一項に記載のホットヨガ構造体。
【発明の詳細な説明】
【技術分野】
【０００１】
本発明は、ホットヨガ用の空間を画成する構造体に関するものである。
【背景技術】
【０００２】
近年、ダイエット、アンチエイジング、健康増進などを目的として、高温多湿の環境下においてヨガを行うホットヨガが知られている。このホットヨガを経験するためのプログラムは、一般的に、フィットネスクラブにおけるサービスの一環として、またホットヨガ専門のスタジオのサービスとして、参加者に提供される。このようなプログラムにおいては、高温多湿の環境を提供する施設と、ヨガの動作を参加者へ指導するインストラクターとが必要となる。多くの場合、一人のインストラクターが多数の参加者に対する指導を担うため、プログラムを提供するための施設は多数の参加者を収容するだけでなく、これらの参加者がヨガの動作を行うのに十分な広さを有する必要がある。
【０００３】
なお、関連する技術として、リモートコントローラ、ヒータ及び加湿器と接続された環境制御装置であって、リモートコントローラからの第１信号を受信する受信部と、受信部により第１信号が受信されたか否かを判定する判定部と、時間軸上の時点とヒータ及び加湿器の動作とを対応付けたスケジュールデータを取得するデータ取得部と、第１信号が受信されたと判定された場合、スケジュールデータに基づいてヒータ及び加湿器を制御する環境制御部とを備える環境制御装置（例えば、特許文献１）が知られている。
【先行技術文献】
【特許文献】
【０００４】
【特許文献１】特開２０１７−１４６００６号公報
【発明の概要】
【発明が解決しようとする課題】
【０００５】
ヨガは、複数の複雑なポーズを連続して行うものであり、更に、ホットヨガは、高温多湿の環境下において行うヨガであるため、参加者は軽装となる必要があり、参加者の全身における素肌の面積が大きくなる傾向となる。そのため、他人の視線を気にすることなくホットヨガを行うことが望まれているが、一人でホットヨガを行うための施設を提供することはコスト面から容易ではない、という問題がある。
【０００６】
本発明は、上述した問題点を解決するためになされたものであり、一人でホットヨガを行うのに適した空間を低コストで画成することができるホットヨガ用構造体を提供することを目的とする。
【課題を解決するための手段】
【０００７】
上記課題を解決するために、本発明の一態様は、ホットヨガを行うための空間であるホットヨガ空間を画成するホットヨガ構造体であって、上下方向に開口した角筒状に形成され、前記ホットヨガ空間の側方を包囲する側壁部と、前記側壁部の底面として略板状に形成された床部と、前記床部を前記ホットヨガ構造体の設置面から上下方向に所定距離だけ離間して支持する支持部と、底面が開口した中空の略三角錐状に形成され、底面が前記側壁部における上方の開口と連通する屋根部とを備える。
【発明の効果】
【０００８】
本発明によれば、一人でホットヨガを行うのに適した空間を低コストで画成することができる。本発明のその他の効果については、以下の発明を実施するための形態の項でも説明する。
【図面の簡単な説明】
【０００９】
【図１】実施形態に係るホットヨガ用構造体の構成を示す概略斜視図である。
【図２】ホットヨガ用構造体の構成を示す概略正面図である。
【図３】ホットヨガ用構造体における壁部の構成を示す概略平面図である。
【図４】ホットヨガ用構造体の構成を示す概略底面図である。
【図５】ホットヨガ用構造体における屋根部の構成を示す概略平面図である。
【発明を実施するための形態】
【００１０】
以下、本発明の実施形態について図面を参照しつつ説明する。
【００１１】
本実施形態に係るホットヨガ用構造体の構成を説明する。図１は、本実施形態に係るホットヨガ用構造体の構成を示す概略斜視図である。図２は、ホットヨガ用構造体の構成を示す概略正面図である。図３は、ホットヨガ用構造体における壁部の構成を示す概略平面図である。図４は、ホットヨガ用構造体の構成を示す概略底面図である。図５は、ホットヨガ用構造体における屋根部の構成を示す概略平面図である。なお、以降の説明において、上下方向に直交する一方向を前後方向、上下方向及び前後方向に直交する方向を左右方向、また、上下方向に直交する全方位を側方とする。
【００１２】
本実施形態に係るホットヨガ用構造体１は、ホットヨガに適した環境が維持するために外部と遮断されたホットヨガ空間を画成する構造体であり、所定の広さが確保された室内または屋外に設置可能となった構造体である。図１に示すように、ホットヨガ用構造体１は、上面及び底面が開口した略角筒状に形成され、ホットヨガ空間の側方を包囲する側壁部１０と、角筒としての側壁部１０の底面を形成する略板状の床部１１と、底面が開口した中空の略三角錐状に形成され、底面が側壁部１０における上方の開口と連通するとともに全体としてこの開口を閉塞する屋根部１２とを備える。また、図２に示すように、側壁部１０の前方側には、側壁部１０に形成されたホットヨガ空間と連通する開口部を閉塞するドア１９が設けられ、ホットヨガ用構造体１のユーザは、このドア１９を開閉させてホットヨガ空間内に出入りする。
【００１３】
図３に示すように、側壁部１０は、左右方向に対向する２つの側壁パネル１０１ａ，１０１ｂと、２つの側壁パネル１０１ａ，１０１ｂの前方一端を接続する側壁パネル１０１ｃと、２つの側壁パネル１０１ａ，１０１ｂの後方一端を接続する側壁パネル１０１ｄとを有する。これら４つの側壁パネル１０１ａ〜１０１ｄは、それぞれ略板状に形成され、前方に位置する側壁パネル１０１ｃについては、ドア１９が設けられる。
【００１４】
また、ホットヨガ空間には、このホットヨガ空間内を加熱するヒータ９１と、ホットヨガルーム内を加湿する加湿器９２と、ホットヨガに係る各動作を説明する指示映像を表示するディスプレイ９３とが設置される。ユーザは、ヒータ９１及び加湿器９２によりホットヨガ空間内をホットヨガに適した温度及び湿度とした後、床部１１においてホットヨガ空間内を向く平面である床面１１０にユーザが所有するヨガマット９９を敷き、ディスプレイ９３により表示される指示映像に従ってホットヨガを行う。なお、本実施形態において、ヒータ９１及び加湿器９２は、床面１１０に載置されており、ディスプレイ９３は、後方の側壁パネル１０１ｄに設置されているものとする。
【００１５】
図１，２，４に示すように、床部１１において、ホットヨガ構造体１の設置面を向く平面である底面１１１には、底面１１１を設置面から上下方向に所定距離だけ離間させた状態で床部１１を支持する４つの支持部１１１ａ〜１１１ｄが設けられている。４つの支持部１１１ａ〜１１１ｄのそれぞれは、上下方向の長さを調節可能なアジャスタとして構成されており、これによって、設置面に凹凸がある場合や設置面が平行面に対して傾きを有する場合であっても、床面１１０を平面とすることができる。
【００１６】
屋根部１２は、全体として底面が開口した中空の略三角錐状に形成され、図５に示すように、三角錐としての頂点部を中心として点対称に構成された４つの平部１２０ａ〜１２０ｄと、膜状の部材である膜部材１２９とを有する。４つの平部１２０ａ〜１２０ｄは、三角錐の底面を除く４つの面を構成する部材であり、４つの平部１２０ａ〜１２０ｄのそれぞれは、３つの孔部１２１〜１２３が形成された略三角形状に形成されている。膜部材１２９は、４つの平部１２０ａ〜１２０ｄが組付けられた略三角錐状の部材の全体を上方から覆うように設けられている。
【００１７】
ホットヨガ空間は、外部空間から画成されるものの、４つの平部１２０ａ〜１２０ｄのそれぞれに設けられた３つの孔部１２１〜１２３については膜部材１２９によってのみ外部空間から遮断されているため、ホットヨガ空間の上方は他の部分より外部空間の温度の影響をより大きく受けるようになっている。ホットヨガ構造体１は、ホットヨガを行うのに適した温度よりも低い温度の場所に設置されることを想定しているため、ホットヨガ空間の上方が他の部分よりも冷却されることとなり、これによって、ホットヨガ空間内に対流を生じさせ、延いてはホットヨガ空間内をより均一に加熱することができる。
【００１８】
なお、膜部材１２９は、具体的には、多数の繊維が織られた布または不織布であり、好ましくは透湿性及び防水性に優れた素材とすることが望ましい。また、膜部材１２９を構成する繊維の素材は、ポリエステル、ナイロン、コットン、ポリコットンなどが挙げられ、これらをポリウレタンやシリコンなどによりコーティングしても良く、例えば、テント用の布を用いると良い。
【００１９】
以上に説明したホットヨガ構造体１によれば、１人でホットヨガを行うための設備を容易に提供することができる。
【００２０】
本発明は、その要旨または主要な特徴から逸脱することなく、他の様々な形で実施することができる。そのため、前述の実施形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００２１】
１  ホットヨガ用構造体
１０  側壁部
１１  床部
１２  屋根部
１１１ａ〜１１１ｄ  支持部
【図１】
2019112773.tif 000003
【図２】
2019112773.tif 000004
【図３】
2019112773.tif 000005
【図４】
2019112773.tif 000006
【図５】
2019112773.tif 000007